(57)【要約】【課題】撮像素子の表面に付着したゴミの位置を的確にユーザに示すことにより、撮像素子の清掃を容易にするデジタルカメラを得る。【解決手段】ステップＳ４２６では、ＣＰＵが画像処理を行い、清掃用画像ファイルを出力する。この画像処理では清掃用画像に含まれるゴミを発見しやすくするような処理、例えば画像データにおけるコントラストの増加等の調整といった処理が行われるが、画像データの上下左右を反転させる処理は行われない。ステップＳ４３０では、清掃用画像がディスプレイに表示される。ステップＳ４２６で実行された画像処理において、清掃用画像データの上下左右は反転されていない。そのため、ディスプレイに表示された清掃用画像の上下左右方向は、デジタルカメラのレンズマウント側から見た撮像素子の上下左右方向と同じになる。これにより、撮像素子に付着したゴミとディスプレイ上に表されるゴミの位置とが略一致する。【選択図】図６
2009147736.tif 000002
【特許請求の範囲】
【請求項１】
撮像素子に付着したゴミの位置を特定するために用いられる清掃用画像を撮像可能である画像撮像手段と、
前記撮像素子に結像する被写体像の上下と前記清掃用画像に含まれる被写体像の上下とが同一となるように反転清掃用画像を作成する画像操作手段と、
前記反転清掃用画像を表示可能である表示手段とを備えるデジタルカメラ。
【請求項２】
前記画像操作手段は、前記撮像素子に結像する被写体像の左右と前記清掃用画像に含まれる被写体像の左右とが同一となるように反転清掃用画像を作成する請求項１に記載のデジタルカメラ。
【請求項３】
前記デジタルカメラは、前記清掃用画像の上下左右を判別可能にする位置表示画像を前記清掃用画像に合成して合成清掃用画像を作成する画像合成手段をさらに備え、
前記画像操作手段は、前記撮像素子に結像する被写体像の上下と前記合成清掃用画像に含まれる被写体像の上下とが同一となるように反転清掃用画像を作成し、
前記表示手段は前記反転清掃用画像を表示する請求項１に記載のデジタルカメラ。
【請求項４】
前記デジタルカメラは、前記反転清掃用画像および／または前記合成清掃用画像を記憶する記憶手段をさらに備える請求項１から３のいずれか１つに記載のデジタルカメラ。
【請求項５】
前記デジタルカメラは、清掃用画像であることを示すファイル名を前記清掃用画像に付けるファイル名決定手段をさらに備える請求項１に記載のデジタルカメラ。
【請求項６】
前記デジタルカメラは、清掃用画像であることを示すファイル情報を前記清掃用画像に記録するファイル情報記録手段をさらに備える請求項１に記載のデジタルカメラ。
【請求項７】
撮像素子に付着したゴミの位置を特定するために用いられる清掃用画像を撮像可能である画像撮像手段と、前記撮像素子に結像する被写体像の上下と前記清掃用画像に含まれる被写体像の上下とが同一となるように反転清掃用画像を作成する画像操作手段とを備えるデジタルカメラと、
前記デジタルカメラの外部に設けられ、前記デジタルカメラから前記反転清掃用画像を受信可能である受信手段と、前記反転清掃用画像を表示可能である外部表示手段とを備えるデジタルカメラシステム。
【発明の詳細な説明】
【技術分野】
【０００１】
本発明はデジタルカメラに関し、より詳しくは撮像素子の清掃を可能にしたデジタルカメラに関する。
【背景技術】
【０００２】
デジタルカメラには、例えば撮像レンズを着脱可能に構成したものがある。撮像レンズから入射した被写体像はリターンミラーを介して光学ファインダーに導かれる。ユーザは光学ファインダーを介して被写体像を視認する。ユーザがシャッターレリーズボタンを押圧すると、リターンミラーが上げられ、シャッター幕が開かれ、被写体像が撮像素子に入射する。撮像素子は入射した被写体像を電気信号に変換し、画像データとして出力する。画像データは画像処理された後、画像ファイルとして記録媒体に記録される。撮像素子における被写体側の面（以下、正面という）にはローパスフィルタが取り付けられる。以下、撮像素子の正面には、ローパスフィルタが取り付けられているものとして説明する。
【０００３】
撮像素子は、シャッターやリターンミラー等の可動物と共にミラーボックス内に配置される。これらの可動物は撮影の度に動作するため、可動物の支持体との間で擦れてゴミを生じることがある。また、撮像レンズが着脱可能であるデジタルカメラでは、撮像レンズの着脱時にゴミがミラーボックス内に侵入することがある。これらのゴミは撮像素子に付着して、撮像素子に入射する被写体像を妨げる。つまり、画像データにゴミが写り込んで画質を劣化させる原因となるおそれがある。
【０００４】
これを解決するために、従来、撮像された画像データ中において画像信号の出力値が小さい画素を検知し、この画素に対応する撮像素子の部位にゴミが付着していると判断して画像データを補正する構成が知られている（特許文献１）。
【特許文献１】特開２００５−３４１３８１号公報
【発明の開示】
【発明が解決しようとする課題】
【０００５】
しかし、従来の構成では撮像素子に付着したゴミが増加した場合や、ゴミが大きい場合には画像データを補正しきれず、画像データにゴミが写り込んでしまうおそれがある。このようなとき、ゴミを取り除かなければ画像が劣化する。
【０００６】
本発明はこの問題を解決するためになされたものであり、撮像素子の表面に付着したゴミの位置を的確にユーザに示すことにより、撮像素子の清掃を容易にするデジタルカメラを得ることを目的とする。
【課題を解決するための手段】
【０００７】
本願第１の発明によるデジタルカメラは、撮像素子に付着したゴミの位置を特定するために用いられる清掃用画像を撮像可能である画像撮像手段と、撮像素子に結像する被写体像の上下と清掃用画像に含まれる被写体像の上下とが同一となるように反転清掃用画像を作成する画像操作手段と、反転清掃用画像を表示可能である表示手段とを備えることを特徴とする。撮像素子に付着したゴミは、撮像素子そのものに付着したゴミ、及び撮像素子の前面に取り付けられたローパスフィルタに付着したゴミを含む。
【０００８】
画像操作手段は、撮像素子に結像する被写体像の左右と清掃用画像に含まれる被写体像の左右とが同一となるように反転清掃用画像を作成することが好ましい。
【０００９】
デジタルカメラは、清掃用画像の上下左右を判別可能にする位置表示画像を清掃用画像に合成して合成清掃用画像を作成する画像合成手段をさらに備え、画像操作手段は、撮像素子に結像する被写体像の上下と合成清掃用画像に含まれる被写体像の上下とが同一となるように反転清掃用画像を作成し、表示手段は反転清掃用画像を表示するものであればなお良い。
【００１０】
デジタルカメラは、反転清掃用画像および／または合成清掃用画像を記憶する記憶手段をさらに備えても良い。
【００１１】
デジタルカメラは、清掃用画像であることを示すファイル名を清掃用画像に付けるファイル名決定手段をさらに備えることが望ましい。
【００１２】
デジタルカメラは、清掃用画像であることを示すファイル情報を清掃用画像に記録するファイル情報記録手段をさらに備えても良い。
【００１３】
本願第２の発明によるデジタルカメラシステムは、撮像素子に付着したゴミの位置を特定するために用いられる清掃用画像を撮像可能である画像撮像手段と、撮像素子に結像する被写体像の上下と清掃用画像に含まれる被写体像の上下とが同一となるように反転清掃用画像を作成する画像操作手段とを備えるデジタルカメラと、デジタルカメラの外部に設けられ、デジタルカメラから反転清掃用画像を受信可能である受信手段と、反転清掃用画像を表示可能である外部表示手段とを備える。
【発明の効果】
【００１４】
本発明によれば、撮像素子の表面に付着したゴミの位置を的確にユーザに示すことにより、撮像素子の清掃を容易にするデジタルカメラを得る。
【発明を実施するための最良の形態】
【００１５】
以下、本発明におけるデジタルカメラの第１の実施形態について添付図面を参照して説明する。図１は撮像レンズが取り付けられたデジタルカメラの外観図である。
【００１６】
デジタルカメラ１０及び撮像レンズ１２の構成について図１から５を用いて説明する。
【００１７】
デジタルカメラ１０はボディ１１と、ボディ１１に設けられるディスプレイ１４、シャッターレリーズボタン２４、操作スイッチ２５、カードスロット２６、映像出力部１６、および光学ファインダー５３とから主に構成される。
【００１８】
デジタルカメラ１０の内部にはＣＰＵ２０が設けられる。ＣＰＵ２０にはフラッシュメモリ５７が接続され、ＣＰＵ２０を動作させるためのプログラム等が記憶される。デジタルカメラ１０の電源が入れられると、ＣＰＵ２０はフラッシュメモリ５７からプログラムを読み出して実行する。
【００１９】
ユーザが所定の規則に従って操作スイッチ２５を操作すると、デジタルカメラ１０の設定又は動作モードを変更することが可能である。動作モードには、撮影モード、画像再生モード、及びセンサクリーニングモード等がある。撮影モードは被写体を撮影、すなわち通常の撮影を行うときに用いられ、画像再生モードは画像記録媒体２７に記録された画像ファイルをディスプレイ１４に表示するときに用いられる。センサクリーニングモードは、撮像素子４０を清掃するときに用いられ、撮影モードおよび画像再生モードの中で実行される。モードを変更するときには設定画面がディスプレイ１４に表示され、ユーザは設定画面を参照しながら操作スイッチ２５を用いて変更する。以下、デジタルカメラ１０を撮影モードに設定した場合について説明する。
【００２０】
撮像レンズ１２に取り付けられる絞り２１は、絞り駆動回路２２により絞り開度が制御される。撮像レンズ１２に入射した被写体像は、リターンミラー４１により反射されて光学ファインダー５３に導かれる。ユーザは光学ファインダー５３を介して撮像レンズ１２に入射した被写体を視認する。
【００２１】
ユーザがシャッターレリーズボタン２４を半押しすると、シャッターレリーズボタン２４から撮像準備信号がＣＰＵ２０に送信される。撮像準備信号を受信したＣＰＵ２０はフォーカス駆動回路５５を制御して撮像レンズ１２を駆動し、撮像レンズ１２を合焦させる。測光回路４６はＣＰＵ２０により制御されて露出情報をＣＰＵ２０に送信する。ＣＰＵ２０は露出情報を受信して、シャッタースピード、および絞り開度等を決定する。
【００２２】
シャッターレリーズボタン２４が全押しされると撮影動作が行われる。撮影動作では、ＣＰＵ２０による各回路への信号の送信からＣＰＵ２０への画像データの送信までが行われる。より詳しく説明すると、ＣＰＵ２０は絞り駆動回路２２、ミラー駆動回路４３、及びシャッター駆動回路５２に信号を送信する。絞り駆動回路２２は絞り２１を調節し、ミラー駆動回路４３はリターンミラー４１を上げ、シャッター駆動回路５２はシャッター幕４５を開閉する。これにより、被写体像はローパスフィルタ４８を介して撮像素子（ＣＣＤ）４０に結像する。
【００２３】
図３に示すように、被写体３１は、上下左右が反転されて撮像素子４０上に被写体像３２として結像する。撮像素子４０は撮像素子駆動回路２３により制御されて撮像を行い、撮像データをＡ／Ｄコンバータ４２に送信する。Ａ／Ｄコンバータ４２は撮像データを画像データに変換し、ＣＰＵ２０に送信する。次にＣＰＵ２０は、画像データをＲＡＭ５８に一時的に記録しながら画像処理を行い、画像ファイルを出力する。画像処理において、ＣＰＵ２０は、被写体像３２が正立するように画像データの上下左右を反転し、また画像データの色調等の調整およびＪＰＥＧ圧縮等を行う。画像ファイルはカードスロット２６に挿入された画像記録媒体２７に記録される。画像記録媒体２７は、例えばＳＤカード、コンパクトフラッシュ（登録商標）等である。これらの装置は電池２８又はＡＣアダプタ２９から供給される電力により動作する。
【００２４】
図４を参照して、清掃用画像ファイルの中においてタグ情報が記録される位置について説明する。まず清掃用画像ファイル７０のファイル構造について説明する。清掃用画像ファイルはバイナリファイルであり、ファイルの先頭にはＳＯＩマーカ７１が記録される。ＳＯＩマーカ７１の次には情報領域７２が設けられる。情報領域７２には、撮影情報等がタグ情報として記録される。そして情報領域７２の次には画像データ領域７３が設けられ、画像データが記録される。画像データ領域７３の次には、ファイルの終端を示すＥＯＩマーカ７４が記録される。
【００２５】
情報領域７２の中には、デジタルカメラ１０の製造メーカが自由に書き込める領域がメーカ領域として設けられる。このメーカ領域の中にダスト画像情報が書き込まれる。これにより、清掃用画像ファイル７０に含まれる画像データに影響を与えずにダスト画像情報を書き込むことが可能になる。
【００２６】
画像ファイルは、画像記録媒体２７のルートフォルダに設けられる「１００ＰＥＮＴＸ」に記録される（図５参照）。フォルダ名の先頭には３桁の数字が付けられており、これを変更することにより、ユーザが「１００ＰＥＮＴＸ」から「９９９ＰＥＮＴＸ」までのフォルダを作成することができる。ユーザは、これらのうちいずれかのフォルダに画像ファイルを保存できる。画像記録媒体２７のルートフォルダには、「ＤＵＳＴ」という名前のフォルダがさらに設けられる。このフォルダには清掃用画像ファイルが記録される。清掃用画像ファイルは、撮像素子４０を清掃するときにユーザが参照する画像ファイルである。例えば「ＤＵＳＴ．ＪＰＧ」という名前を付けて記録される。
【００２７】
画像記録媒体２７に記録された画像データは、ユーザが操作スイッチ２５を操作することによりディスプレイ１４に表示される。画像データは、被写体像が正立するように画像処理されるため、ディスプレイ１４に表示される画像データは正立して表示される。ディスプレイ１４に表示される表示画像は、画像出力部１６からデジタルカメラ１０の外部に画像信号として出力される。
【００２８】
ＣＰＵ２０は、ミラー駆動回路４３にリターンミラー４１を上げたまま保持させるとともに、シャッター駆動回路５２にシャッター幕４５を開放のまま保持させることが可能である。これによりユーザは、デジタルカメラ１０の外部から撮像素子４０を清掃することができる。リターンミラー４１を上げたまま保持し、シャッター幕４５を開放のまま保持するために、ＣＰＵ２０、ミラー駆動回路、及びシャッター駆動回路は一定の電力を消費する。
【００２９】
次に第１の清掃用画像表示処理について図６から８を用いて詳細に説明する。第１の清掃用画像表示処理は図６におけるステップＳ４２１からＳ４３０により構成される。図６に示される処理は、ユーザが操作スイッチ２５を操作してデジタルカメラ１０を撮影モードに設定したときに実行される。
【００３０】
ステップＳ４０１では、ユーザがデジタルカメラ１０をセンサクリーニングモードに設定したかどうかが判断される。センサクリーニングモードに設定していないときは、処理はステップＳ４１１に進み、シャッターレリーズボタン２４が押し下げられたか否かが判断される。シャッターレリーズボタン２４が押し下げられるとステップＳ４１２において撮影動作が行なわれる。次にステップＳ４１３においてＣＰＵ２０が画像データに画像処理を施し、ステップＳ４１４で画像記録媒体２７に画像ファイルを記録する。一方、ステップＳ４０１でデジタルカメラ１０がセンサクリーニングモードに設定されていたとき、処理はステップＳ４２１に進む。
【００３１】
ステップＳ４２１からＳ４２３では、撮像素子４０を清掃するために参照する清掃用画像を撮影する。清掃用画像は、ユーザが画角全体に広がる白色の被写体を撮像することにより作成される。
【００３２】
ステップＳ４２１では、絞り２１は最大限に絞り込まれ、シャッタースピードは絞り値に応じて最も遅く設定される。そして、撮像レンズ１２の焦点は無限大に設定され、露出補正はやや多めに設定され、画像サイズはデジタルカメラ１０が設定可能な画像サイズのうち最も大きなものに設定される。ステップＳ４２２ではシャッターレリーズボタン２４が押し下げられたか否かが判断され、押し下げられたときにはステップＳ４２３において撮影動作が行われる。
【００３３】
次にステップＳ４２４において撮影された画像がディスプレイ１４に表示される。ステップＳ４２５では、ユーザが表示された画像を参照して撮像素子４０の清掃に適しているか否かを判断する。撮像素子４０の清掃に適した画像とは、ユーザが認識できる程度にはっきりとゴミを撮影できた画像をいう。清掃に適していると判断したときは、センサクリーニングを行う旨を選択し、適していないと判断したときにはセンサクリーニングを行わない旨を選択する。センサクリーニングを行わないとき、処理はステップＳ４２１に戻り、再度清掃用画像を撮影する。
【００３４】
センサクリーニングを行う旨を選択したとき処理はステップＳ４２６に進み、ＣＰＵ２０が画像処理を行い、清掃用画像ファイルを出力する。この画像処理では清掃用画像に含まれるゴミを発見しやすくするような処理、例えば画像データにおけるコントラストの増加等の調整といった処理が行われると共に、画像データの左右を反転させる処理が行われる。
【００３５】
次のステップＳ４２７では、清掃用画像ファイルにタグ情報が記録される。タグ情報は、清掃用画像データに付帯する情報、すなわち撮影情報等である。撮影情報は、例えば、撮影日時、シャッタースピード、絞り値およびＩＳＯ値等である。清掃用画像ファイルには、清掃用画像ファイルが清掃用画像を有する旨を判別するための情報、つまりダスト画像情報がタグ情報の１つとして記録される。
【００３６】
タグの記録が終了すると、次のステップＳ４２８で清掃用画像ファイルのファイル名が決定される。ファイル名は、清掃用画像ファイルが清掃用画像を有することを明示するもの、例えばＤＵＳＴ．ＪＰＧが用いられる。
【００３７】
次に、ステップＳ４２９では、画像記録媒体２７に設けられた「ＤＵＳＴ」というフォルダに清掃用画像ファイルが記録される。
【００３８】
次のステップＳ４３０では、清掃用画像がディスプレイ１４に所定の期間、例えば５分間表示される（図７参照）。ステップＳ４２６で実行された画像処理において、清掃用画像データの上下は反転されていない。そのため、ディスプレイ１４に表示された清掃用画像の上下は、デジタルカメラのレンズマウント４４側から見た撮像素子４０の上下と同じになる（図３および７参照）。一方、ステップＳ４２６で実行された画像処理では清掃用画像データの左右が反転される。そのため、ディスプレイ１４に表示された清掃用画像の左右は、レンズマウント４４側から見た撮像素子４０の左右と同じになる（図３および７参照）。言い換えると、撮像素子４０の背面からみたゴミの位置は撮像素子４０に対して右側となり、ディスプレイ１４に表示されたゴミの位置は左側となる（図７参照）。すなわち、レンズマウント４４側から見た撮像素子４０上におけるゴミ３３の位置（図３参照）と、ディスプレイ１４に表示されるゴミ６３のディスプレイ１４上の位置（図７参照）とは相似する。
【００３９】
これにより、ユーザは撮像素子４０に付着したゴミ３３の位置を的確に把握することが可能になる。
【００４０】
ユーザは所定の期間を予めデジタルカメラ１０に設定できる。所定の期間を定めることにより、電池の消耗を抑えることができる。
【００４１】
ステップＳ４３１においてユーザは、ディスプレイ１４に表示された清掃用画像を参照しながら操作スイッチ２５とシャッターレリーズボタン２４とを操作して撮像素子４０を清掃するか否かを決定する。清掃が必要ないとユーザが判断した場合、例えば清掃用画像にゴミが写っていない場合、あるいは清掃を行うほど多くのゴミが写っていない場合、清掃処理を行わずにステップＳ４３３に処理が進む。清掃の必要があるとユーザが判断した場合、例えば画像に影響を与えるほどゴミが清掃用画像に写っている場合、ステップＳ４３２に処理が進む。
【００４２】
ステップＳ４３２では後述する清掃処理が行われる。清掃処理が終了すると、ステップＳ４３３で撮影モードを終了するか否かが決定される。撮影モードを終了しない場合、再度ステップＳ４２１から処理を繰り返す。例えばゴミが除去されたかどうかをユーザが確認したい場合、再度処理を繰り返して清掃用画像を撮影し参照することにより、ゴミの除去状況を確認することができる。撮影モードを終了する場合、つまり処理を繰り返さない場合、処理は終了する。
【００４３】
次に図９を用いて清掃処理について説明する。ステップＳ８１では、まず電池残量があるか否かが判断される。リターンミラー４１を上げて保持し、シャッター幕４５を開放して保持するための電力を確保するため、電池２８の残量が十分あることを確認する。電池残量がない場合、処理は後述するステップＳ８８の終了処理に進み、清掃処理を終了する。電池残量がある場合、処理は次のステップＳ８２に進む。
【００４４】
ステップＳ８２ではリターンミラー４１を上げたまま保持し、次のステップＳ８３ではシャッター幕４５を開放したまま保持する。これによりユーザが撮像素子４０に接近し、撮像素子４０を清掃することが可能になる。
【００４５】
ステップＳ８４では、ユーザはディスプレイ１４に表示された清掃用画像を見ながら撮像素子４０を清掃する。そして清掃が完了すると、次のステップＳ８５において再度清掃用画像を撮影してゴミがないことをユーザが確認するか否かを決定する。
【００４６】
ゴミがないことをユーザが確認する場合、ステップＳ８６に処理が進み、撮影モードが実行される。ユーザが確認しない場合、処理はステップＳ８７を経てステップＳ８８に進み、終了処理が実行される。終了処理では、清掃用画像をディスプレイ１４に表示することを止め、シャッター幕を閉じ、リターンミラー４１を下げる。そして清掃処理が終了し、図６におけるステップＳ４３３が実行される。
【００４７】
本実施形態によれば、ユーザは、撮像素子の表面に付着したゴミの位置を的確に把握して、ゴミを容易に除去できる。
【００４８】
なお、ステップＳ４２６の画像処理において、画像データの左右を反転させる処理が行われなくても良い。ディスプレイ１４に表示された清掃用画像の上下は、デジタルカメラのレンズマウント４４側から見た撮像素子４０の上下と同じになる（図３および８参照）。一方、清掃用画像データの左右を反転させる処理が行われないため、ディスプレイ１４に表示された清掃用画像の左右は、レンズマウント４４側から見た撮像素子４０の左右と反対になる（図３および８参照）。言い換えると、撮像素子４０の背面からみたゴミの位置は撮像素子４０に対して右側であり、ディスプレイ１４に表示されたゴミの位置は右側となる（図３および図８参照）。すなわち、レンズマウント４４側から見た撮像素子４０上におけるゴミ３３の位置（図３参照）は、ディスプレイ１４に表示されるゴミ６３のディスプレイ１４上の位置（図８参照）と鏡像かつ相似関係にある。これにより、ユーザは撮像素子４０に付着したゴミ３３の位置を的確に把握することが可能になる。
【００４９】
清掃用画像ファイルは前述のフォルダに保存されなくても良い。タグ情報を読み取ることにより清掃用画像ファイルが存在することを判断する。
【００５０】
また、清掃用画像ファイルにタグ情報を記録しなくても良い。「ＤＵＳＴ」フォルダを検索することにより清掃用画像ファイルが存在することを判断する。
【００５１】
清掃用画像ファイルを保存せずに、画像データをディスプレイ１４に表示しても良い。ステップＳ４２６からＳ４２９の処理が省略される。
【００５２】
そして、ステップＳ４３０において、ステップＳ４３２における清掃処理が完了するまで清掃用画像がディスプレイ１４に表示されてもよい。ユーザは逐次清掃用画像を参照しながら撮像素子４０の清掃を行うことが可能になる。
【００５３】
なお、ステップＳ８１において、電池残量の判断の代わりに、又は電池残量の判断と一緒にＡ／Ｃアダプタ２９が接続されているか否かを判断してもよい。Ａ／Ｃアダプタ２９が接続されていない場合、処理はステップＳ８７に進む。Ａ／Ｃアダプタ２９が接続されている場合、処理はステップＳ８２に進む。Ａ／Ｃアダプタ２９を接続して撮像素子４０を清掃することにより、清掃処理を行っている最中にデジタルカメラ１０への電力供給が途絶えることがなくなる。
【００５４】
次に第２の実施形態によるデジタルカメラについて図１０および１１を用いて説明する。第１の実施形態と同様の構成については説明を省略する。
【００５５】
本実施形態では、第１の清掃用画像表示処理のかわりに第２の清掃用画像表示処理が実行される。第２の清掃用画像表示処理を含む処理をフローチャートを用いて図９に示す。この処理は、ユーザが操作スイッチ２５を操作してデジタルカメラ１０を画像再生モードに設定したときに実行される。
【００５６】
ステップＳ９１では、ユーザが操作スイッチ２５を操作してデジタルカメラ１０をセンサクリーニングモードに設定したかどうかが判断される。センサクリーニングモードに設定されないときには、処理はステップＳ９２に進み、通常の処理に従ってディスプレイ１４に画像が表示される。
【００５７】
センサクリーニングモードに設定されたときには、処理はステップＳ９３に進む。ステップＳ９３では、ＣＰＵ２０が、画像記録媒体２７の中の「ＤＵＳＴ」フォルダ内で清掃用画像ファイル「ＤＵＳＴ．ＪＰＧ」を検索する。
【００５８】
次のステップＳ９４では、ディスプレイ１４に清掃用画像を表示できるか否かが判断される。表示できない場合とは、例えば「ＤＵＳＴ」フォルダ内に清掃用画像ファイル「ＤＵＳＴ．ＪＰＧ」が存在しない場合、あるいは「ＤＵＳＴ」フォルダ内に清掃用画像ファイル「ＤＵＳＴ．ＪＰＧ」は存在するがファイルが壊れていて再生できない場合である。このような場合、処理はステップＳ９５に進み、ディスプレイ１４に清掃用画像ファイルが見つからない、又は再生できない旨のエラーメッセージを表示し、ステップＳ９８に進む。
【００５９】
ディスプレイ１４に清掃用画像を表示できる場合、つまり「ＤＵＳＴ」フォルダ内に清掃用画像ファイル「ＤＵＳＴ．ＪＰＧ」が存在し、かつ再生可能である場合、処理はステップＳ９６に進む。
【００６０】
ステップＳ９６では、ＣＰＵ２０が清掃用画像にフレーム画像６４を合成する。フレーム画像６４とは清掃用画像の周囲の全周又は一部に装飾目的で付加される画像である。本実施形態におけるフレーム画像６４はレンズ取付側から見たレンズマウント４４を表したものである。
【００６１】
次のステップＳ９７では、ディスプレイ１４にフレーム画像６４が付加された清掃用画像が表示される（図１１参照）。
【００６２】
以下、ステップＳ９８からＳ１００は第１の実施形態におけるステップＳ４３１からＳ４３２までと同様の処理であるため、ステップＳ９８からＳ１００に関する説明を省略する。
【００６３】
本実施形態によれば、レンズマウントとの相対的位置を考慮して撮像素子４０に付着したゴミ６３の位置をユーザが把握できる。
【００６４】
なお、第２の実施形態ではステップＳ９３において特定のフォルダ内を検索して清掃用画像ファイルが存在することを判断したが、清掃用画像ファイルを特定のフォルダに記録せずに清掃用画像ファイルが有するタグ情報を検索して清掃用画像ファイルが存在することを判断しても良い。
【００６５】
次に第３の実施形態によるデジタルカメラシステムについて図１２を用いて説明する。第１及び第２の実施形態と同様の構成については説明を省略する。
【００６６】
本実施形態では、画像出力部１６に適切なケーブル１１２を介して外部表示装置１１０が接続される。画像出力部１６は、ディスプレイ１４に表示される表示画像を画像処理して、外部表示装置１１０が表示可能な画像信号形式に変換する。ディスプレイ１４は、例えばテレビ用ディスプレイ又はパーソナルコンピュータ用ディスプレイである。また、画像信号形式は、例えばコンポジット映像信号、コンポーネント映像信号、又はＲＧＢ映像信号である。
【００６７】
外部表示装置１１０は、デジタルカメラ１０から受信した画像信号を処理して表示画像を得る。外部表示装置１１０の画面１１１は表示画像を表示する。この表示画像は、第２の実施形態においてフレーム画像６４が付加された清掃用画像である。すなわち、第２の実施形態におけるステップＳ９６が実行された後に、画面１１１にフレーム画像６４が付加された清掃用画像が表示される。
【００６８】
なお、第２の実施形態によるフレーム画像６４が付加された清掃用画像でなく、第１の実施形態による清掃用画像が表示されてもよい。第１の実施形態におけるステップＳ４２９が実行された後に、画面１１１に清掃用画像が表示される。
【００６９】
本明細書では撮像素子４０にゴミが付着するとして説明したが、正確には撮像素子４０の前面に取り付けられたローパスフィルタ４８にゴミが付着し、ユーザはローパスフィルタ４８の表面を清掃する。
【００７０】
なお、撮像素子４０はＣＣＤでなくても良く、光に反応して電気信号を出力するＣＭＯＳ等の素子であればよい。
【００７１】
また、清掃用画像ファイルは前述の撮影設定により作成されたものでなくても良く、ゴミを発見することが可能な画像であれば良い。
【００７２】
清掃用画像ファイルを記録するフォルダ名は「ＤＵＳＴ」に限定されず、清掃用画像ファイル名もまた「ＤＵＳＴ．ＪＰＧ」に限定されない。
【００７３】
フレーム画像６４はレンズマウント４４の画像に限定されない。ディスプレイ１４に表示された清掃用画像と撮像素子４０との方向関係をユーザが的確に判断できるような画像であればよい。
【００７４】
いずれの実施形態においても上下左右を反転せずに保存した清掃用画像を撮像素子４０の清掃時にディスプレイ１４に表示したが、上下左右を反転してから保存した清掃用画像を清掃時にさらに上下左右に反転して表示しても良い。
【００７５】
そして、上下左右を反転してから保存した清掃用画像をデジタルカメラ１０からパーソナルコンピュータに転送し、転送された清掃用画像を、撮像素子４０の清掃時において、パーソナルコンピュータが備えるプログラムがさらに上下左右に反転した上で、パーソナルコンピュータに接続された表示装置に表示しても良い。
【００７６】
なお、清掃用画像を記録した画像記録媒体２７をパーソナルコンピュータに接続し、清掃用画像をパーソナルコンピュータに取り込んで、パーソナルコンピュータに接続された表示装置に清掃用画像を表示しても良い。ユーザは、表示装置に表示された清掃用画像を参照しながらローパスフィルタ４８の表面を清掃することができる。
【図面の簡単な説明】
【００７７】
【図１】撮像レンズと、第１の実施形態によるデジタルカメラとの外観図である。
【図２】デジタルカメラのブロック図である。
【図３】被写体と撮像素子に入射する被写体像との関係を概略的に示した図である。
【図４】清掃用画像のファイル構造を概略的に示した図である。
【図５】画像記録媒体のフォルダ構造をツリー構造により示した図である。
【図６】第１の清掃用画像表示処理を示すフローチャートである。
【図７】清掃用画像を表示するディスプレイを概略的に示した図である。
【図８】清掃用画像を表示するディスプレイを概略的に示した図である。
【図９】清掃処理を示すフローチャートである。
【図１０】第２の清掃用画像表示処理を示すフローチャートである。
【図１１】フレーム画像が付加された清掃用画像を表示するディスプレイを概略的に示した図である。
【図１２】第３の実施形態によるデジタルカメラシステムの外観図である。
【符号の説明】
【００７８】
１０  デジタルカメラ
１２  撮像レンズ
１４  ディスプレイ
２０  ＣＰＵ
２１  絞り
２４  シャッターレリーズボタン
４０  撮像素子
４１  リターンミラー
４５  シャッター幕
【図１】
2009147736.tif 000003
【図２】
2009147736.tif 000004
【図３】
2009147736.tif 000005
【図４】
2009147736.tif 000006
【図５】
2009147736.tif 000007
【図６】
2009147736.tif 000008
【図７】
2009147736.tif 000009
【図８】
2009147736.tif 000010
【図９】
2009147736.tif 000011
【図１０】
2009147736.tif 000012
【図１１】
2009147736.tif 000013
【図１２】
2009147736.tif 000014